(57)【要約】【課題】特許文献１，２と同等の作用・効果を発揮しつつ、止着ボルトの回動操作性も向上する配管支持金具を提供すること。【解決手段】取付部材８の重合部５に、ボルト挿通孔13と連通させて止着ボルト９を挿通する貫通ボルト孔16を設け、この貫通ボルト孔16を設けた重合部５に外方へ向けて下動阻止突起17を突設し、この下動阻止突起17を、重合部５を前記取付部３に重合した際に取付部３の外方へ貫通突出させる突起挿通孔部18を取付部３に設けると共に、吊り下げ状態とした際に下動阻止突起17にこの突起挿通孔部18が掛止られることで前記止着ボルト９のボルト杆部10が前記抜止孔部14に接触しない離間状態で抜止孔部14に挿通する構成とし、この突起挿通孔部18は、ボルト挿通孔13の抜止孔部14と挿脱孔部15との境目付近に設ける。【選択図】図１
2014214868.tif 000002
【特許請求の範囲】
【請求項１】
配管を包持支承する左右一対の挟持半体の下部同士を枢着して開閉自在に構成すると共に各挟持半体の上部に取付部を備えた配管抱持部材と、この配管抱持部材の取付部に重合する重合部を下部に備えると共に吊りボルトに螺着する吊りボルト螺着部を上部に備えた取付部材とから成り、前記取付部と前記重合部とを重合してこの重合部分に止着ボルトを挿通し止着ボルトにナットを螺着して前記配管抱持部材の挟持半体を閉塞保持し取付部材に配管抱持部材を吊り下げ取付する構成とし、この配管抱持部材の少なくとも一方の挟持半体の取付部に、前記止着ボルトを挿通するボルト挿通孔を設け、このボルト挿通孔は、上部を前記止着ボルトのボルト杆部より径大であってこの止着ボルトに螺着する前記ナット若しくはこの止着ボルトのボルト頭部より径小な抜止孔部に形成すると共に、下部を前記ナット若しくは前記ボルト頭部より径大な挿脱孔部に形成して、このボルト挿通孔に挿通した止着ボルトを抜止孔部に位置させた吊り下げ状態とすると止着ボルトに螺着したナット若しくは止着ボルトのボルト頭部がボルト挿通孔より抜止状態となり、且つ前記ナットを緩めた後止着ボルトを抜止孔部から挿脱孔部に移動させると止着ボルトに螺着したナット若しくは止着ボルトのボルト頭部が挿脱孔部を介してボルト挿通孔より挿脱可能となるように構成した配管支持金具において、前記取付部材の前記重合部に、前記ボルト挿通孔と連通させて前記止着ボルトを挿通する貫通ボルト孔を設け、この貫通ボルト孔を設けた前記重合部に外方へ向けて下動阻止突起を突設し、この下動阻止突起を、前記重合部を前記取付部に重合した際に前記取付部の外方へ貫通突出させる突起挿通孔部を前記取付部に設けると共に、この突起挿通孔部は、前記ボルト挿通孔と前記貫通ボルト孔とに挿通した前記止着ボルトを前記抜止孔部に位置させて前記吊り下げ状態とした際に前記下動阻止突起にこの突起挿通孔部が掛止られることで前記止着ボルトのボルト杆部が前記抜止孔部に接触しない離間状態で抜止孔部に挿通する構成とし、この突起挿通孔部は、前記抜止孔部と前記挿脱孔部との境目付近に設けて、この突起挿通孔部から抜止孔部と前記挿脱孔部との境目付近に突出する下動阻止突起に、前記吊り下げ状態とした際に前記止着ボルトに螺着した前記ナット若しくは止着ボルトのボルト頭部が係止して止着ボルトのボルト挿通孔下部の前記挿脱孔部への移動が阻止されるように構成したことを特徴とする配管支持金具。
【請求項２】
前記下動阻止突起は、前記貫通ボルト孔若しくはこの貫通ボルト孔を有する前記重合部の二箇所以上に設け、この二箇所以上の下動阻止突起に、前記止着ボルトに螺着した前記ナット若しくはこの止着ボルトのボルト頭部が係止して、このナット若しくはボルト頭部に回り止め作用を付与する構成としたことを特徴とする請求項１記載の配管支持金具。
【請求項３】
前記下動阻止突起は、前記貫通ボルト孔を設けた前記重合部から切り起こした切り起こし片で構成したことを特徴とする請求項１，２のいずれか１項に記載の配管支持金具。
【請求項４】
前記突起挿通孔部は、前記ボルト挿通孔の前記抜止孔部と前記挿脱孔部との境目付近に、このボルト挿通孔と連設状態に設けたことを特徴とする請求項１〜３のいずれか１項に記載の配管支持金具。
【請求項５】
前記突起挿通孔部は、前記下動阻止突起に掛止可能な掛止縁を有する形状に形成したことを特徴とする請求項１〜４のいずれか１項に記載の配管支持金具。
【発明の詳細な説明】
【技術分野】
【０００１】
本発明は、配管を吊り下げる配管支持金具に関するものである。
【背景技術】
【０００２】
出願人は、この種の配管支持金具として、特許第３１７４７５４号（特許文献１）と特開２０１２−１１７５９３号（特許文献２）を開発し、特許出願している。
【０００３】
この特許文献１，２を簡単に説明すると、配管を抱持支承する左右の挟持半体の下部同士を枢着して開閉自在に構成し、上部に吊りボルトに螺着する吊りボルト螺着部を設けた取付部材と前記挟持半体の上部とを重合して取付部材に設けた貫通ボルト孔と挟持半体の上部に設けたボルト挿通孔とに止着ボルトを挿通螺着して挟持半体を閉塞保持するように構成し、前記ボルト挿通孔を、前記止着ボルトのボルト杆部より径大であってこの止着ボルトに螺着するナットより径小な抜止孔部を上部に、前記止着ボルトに螺着するナットより径大な挿脱孔部を下部にして、相対的に前記止着ボルトがこの挿脱孔部から抜止孔部へ移動自在となるように連通状態に構成して、前記止着ボルトにナットを螺着した状態であっても、前記ボルト挿通孔の挿脱孔部を介して挟持半体を回動操作することでボルト挿通孔に止着ボルトを挿通し、この止着ボルトをボルト挿通孔のこの挿脱孔部から抜止孔部へ相対的に移動させることでボルト挿通孔より止着ボルトが抜け止め状態となり止着ボルトにナットを締付螺着し得るように構成したものである。
【０００４】
更に特許文献２は、上記構成に加えて、前記ボルト挿通孔の前記抜止孔部に止着ボルトを移動させ前記ナットを締付して前記配管抱持部材の挟持半体を閉塞保持した際に、このナット若しくは止着ボルトのボルト頭部に係止して止着ボルトがボルト挿通孔下部の前記挿脱孔部に移動することを阻止する下動阻止突起を、このボルト挿通孔若しくはこのボルト挿通孔を有する前記取付部に設けたものである。
【０００５】
そして、この特許文献１，２によれば、止着ボルトにナットを螺着したままで挟持半体を開閉させて本金具の取り付け取り外し作業ができるから、止着ボルトが抜けて金具がバラけてしまうこともなく、また、このように止着ボルトにナットを螺着したまま開閉できるから、いちいちナットを螺着したり、取り外したりする手間もなく、ナットを落としたり、無くしたりしないようにナットを管理する煩わしさもなく、極めて簡単にしてスピーディーに取り付け取り外し作業ができ、また特に特許文献２によれば、止着ボルトとナットとで配管抱持部材を閉塞保持すると、下動阻止突起により止着ボルトが挿脱孔部に移動することが阻止されるので、この閉塞保持状態では挿脱孔部から止着ボルトが抜け外れることを確実に防止でき、従ってナット緩めれば止着ボルトを挿脱孔部へと容易に動かせるという先入観から、少しでもナットに緩みが生じるとそれが原因で止着ボルトが挿脱孔部へと移動して止着ボルトが抜け落ちてしまう（配管が脱落してしまう）のではないかという作業者の不安感（配管脱落の不安感）も払拭できる。
【先行技術文献】
【特許文献】
【０００６】
【特許文献１】特許第３１７４７５４号公報
【特許文献２】特開２０１２−１１７５９３号公報
【発明の概要】
【発明が解決しようとする課題】
【０００７】
上記特許文献１，２は、前記取付部材の貫通ボルト孔と前記挟持半体上部のボルト挿通孔とに前記止着ボルトを挿通してこの止着ボルトを介して取付部材に挟持半体（配管抱持部材）を吊り下げる構造上、この吊り下げ状態とした際の止着ボルトには、少なくとも挟持半体上部のボルト挿通孔の抜止孔部が吊り下がり接触した状態となっている。
【０００８】
そのため、止着ボルトを回動操作する際には、このボルト挿通孔が接触することによる回動抵抗があり、このことが止着ボルトの回動締緩操作の作業性の阻害となっていた。
【０００９】
本発明は、上記特許文献１，２の改良に係るもので、特許文献１，２と同様の優れた作用・効果を発揮することに加えて、止着ボルトの回動操作性をも向上させた簡易構造の配管支持金具を提供するものである。
【課題を解決するための手段】
【００１０】
添付図面を参照して本発明の要旨を説明する。
【００１１】
配管１を包持支承する左右一対の挟持半体２の下部同士を枢着して開閉自在に構成すると共に各挟持半体２の上部に取付部３を備えた配管抱持部材４と、この配管抱持部材４の取付部３に重合する重合部５を下部に備えると共に吊りボルト６に螺着する吊りボルト螺着部７を上部に備えた取付部材８とから成り、前記取付部３と前記重合部５とを重合してこの重合部分に止着ボルト９を挿通し止着ボルト９にナット12を螺着して前記配管抱持部材４の挟持半体２を閉塞保持し取付部材８に配管抱持部材４を吊り下げ取付する構成とし、この配管抱持部材４の少なくとも一方の挟持半体２の取付部３に、前記止着ボルト９を挿通するボルト挿通孔13を設け、このボルト挿通孔13は、上部を前記止着ボルト９のボルト杆部10より径大であってこの止着ボルト９に螺着する前記ナット12若しくはこの止着ボルト９のボルト頭部11より径小な抜止孔部14に形成すると共に、下部を前記ナット12若しくは前記ボルト頭部11より径大な挿脱孔部15に形成して、このボルト挿通孔13に挿通した止着ボルト９を抜止孔部14に位置させた吊り下げ状態とすると止着ボルト９に螺着したナット12若しくは止着ボルト９のボルト頭部11がボルト挿通孔13より抜止状態となり、且つ前記ナット12を緩めた後止着ボルト９を抜止孔部14から挿脱孔部15に移動させると止着ボルト９に螺着したナット12若しくは止着ボルト９のボルト頭部11が挿脱孔部15を介してボルト挿通孔13より挿脱可能となるように構成した配管支持金具において、前記取付部材８の前記重合部５に、前記ボルト挿通孔13と連通させて前記止着ボルト９を挿通する貫通ボルト孔16を設け、この貫通ボルト孔16を設けた前記重合部５に外方へ向けて下動阻止突起17を突設し、この下動阻止突起17を、前記重合部５を前記取付部３に重合した際に前記取付部３の外方へ貫通突出させる突起挿通孔部18を前記取付部３に設けると共に、この突起挿通孔部18は、前記ボルト挿通孔13と前記貫通ボルト孔16とに挿通した前記止着ボルト９を前記抜止孔部14に位置させて前記吊り下げ状態とした際に前記下動阻止突起17にこの突起挿通孔部18が掛止られることで前記止着ボルト９のボルト杆部10が前記抜止孔部14に接触しない離間状態で抜止孔部14に挿通する構成とし、この突起挿通孔部18は、前記抜止孔部14と前記挿脱孔部15との境目付近に設けて、この突起挿通孔部18から抜止孔部14と前記挿脱孔部15との境目付近に突出する下動阻止突起17に、前記吊り下げ状態とした際に前記止着ボルト９に螺着した前記ナット12若しくは止着ボルト９のボルト頭部11が係止して止着ボルト９のボルト挿通孔13下部の前記挿脱孔部15への移動が阻止されるように構成したことを特徴とする配管支持金具に係るものである。
【００１２】
また、前記下動阻止突起17は、前記貫通ボルト孔16若しくはこの貫通ボルト孔16を有する前記重合部５の二箇所以上に設け、この二箇所以上の下動阻止突起17に、前記止着ボルト９に螺着した前記ナット12若しくはこの止着ボルト９のボルト頭部11が係止して、このナット12若しくはボルト頭部11に回り止め作用を付与する構成としたことを特徴とする請求項１記載の配管支持金具に係るものである。
【００１３】
また、前記下動阻止突起17は、前記貫通ボルト孔16を設けた前記重合部５から切り起こした切り起こし片17で構成したことを特徴とする請求項１，２のいずれか１項に記載の配管支持金具に係るものである。
【００１４】
また、前記突起挿通孔部18は、前記ボルト挿通孔13の前記抜止孔部14と前記挿脱孔部15との境目付近に、このボルト挿通孔13と連設状態に設けたことを特徴とする請求項１〜３のいずれか１項に記載の配管支持金具に係るものである。
【００１５】
また、前記突起挿通孔部18は、前記下動阻止突起17に掛止可能な掛止縁19を有する形状に形成したことを特徴とする請求項１〜４のいずれか１項に記載の配管支持金具に係るものである。
【発明の効果】
【００１６】
本発明は上述のように構成したから、前記特許文献１，２の作用・効果に加えて、ボルト挿通孔と貫通ボルト孔とに挿通した止着ボルトを抜止孔部に位置させて吊り下げ状態とした際に下動阻止突起に突起挿通孔部が掛止られることで前記止着ボルトのボルト杆部が前記抜止孔部に接触しない離間状態で抜止孔部に挿通する構成としたため、特許文献１，２のように止着ボルトのボルト杆部が抜止孔部に接触することによる止着ボルトの回動抵抗を生じず、従って止着ボルトの回動操作（配管抱持部材を閉塞保持するためにナットを締付けする操作や配管抱持部材を開放するためにナットを緩める操作）を容易に行うことができ、しかも、本発明の構成は実質的に前記特許文献１に対して取付部材の重合部に下動阻止突起を設けると共に、配管抱持部材の取付部の抜止孔部と挿脱後部との境目付近に突起挿通孔部を設けるだけの簡易な構成で実現可能であるため、量産性にも富むなど極めて実用性に優れた画期的な配管支持金具となる。
【００１７】
また、請求項２記載の発明においては、二箇所以上の下動阻止突起が止着ボルトに螺着したナット若しくは止着ボルトのボルト頭部に係止することによって抜脱孔部に位置する止着ボルトの挿脱孔部への移動を確実に阻止でき、しかも、止着ボルトに螺着したナット若しくは止着ボルトのボルト頭部が二箇所以上の下動阻止突起に係止していることで回り止め作用が付与されるので、この止着ボルトとナットの締付け及び緩め作業が片手で非常に容易に行われるなど、一層実用性に優れた構成の配管支持金具となる。
【００１８】
また、請求項３記載の発明においては、前記作用・効果を確実に発揮する下動阻止突起を、重合部の構成素材から極めて容易に一体成形できる一層実用性・量産性に優れた構成の配管支持金具となる。
【００１９】
また、請求項４記載の発明においては、取付部にボルト挿通孔を形成するにあたって、突起挿通孔部も形成でき、例えばプレス穴抜き加工により、ボルト挿通孔と突起挿通孔部とを容易に同時形成することも可能であるなど、一層量産性に優れた構成の配管支持金具となる。
【００２０】
また、請求項５記載の発明においては、下動阻止突起に確実に突起挿通孔部が掛止られ、これにより確実に止着ボルトのボルト杆部が抜止孔部に接触しない離間状態にできる一層実用性に優れた構成の配管支持金具となる。
【図面の簡単な説明】
【００２１】
【図１】本実施例の使用状態を示す斜視図である。
【図２】本実施例を示す取付部材を吊りボルトに螺着した状態の分解斜視図である。
【図３】本実施例の使用状態を示す正面図である。
【図４】本実施例を示す側面図である。
【図５】本実施例の取付部材を示す正断面図並びに側面図である。
【図６】本実施例の使用状態における、ナットを緩めた状態を示す要部の説明切欠正面図である。
【図７】図６に続いて、止着ボルトを挿脱孔部に移動させた状態を示す要部の説明切欠正面図である。
【図８】図７に続いて、止着ボルト（に螺着したナット）を挿脱孔部から挿脱させる状態を示す要部の説明切欠正面図である。
【図９】本実施例の取付部材を配管上に寝かせた状態を示す斜視図である。
【図１０】図９の側面図である。
【図１１】図８，図９に続いて、取付部材を起動させた状態を示す側面図である。
【発明を実施するための形態】
【００２２】
好適と考える本発明の実施形態を、図面に基づいて本発明の作用を示して簡単に説明する。
【００２３】
配管１を配管抱持部材４の左右一対の挟持半体２で包持（挟持）し、少なくとも一方の挟持半体２上部の取付部３に設けたボルト挿通孔13と、取付部材８下部の重合部５に設けた貫通ボルト孔16とに止着ボルト９を挿通し、取付部材８に対し配管抱持部材４を吊り下げ状態とすることでこの止着ボルト９をボルト挿通孔13の抜止孔部14に位置させて止着ボルト９にナット12を螺着すると、このナット12若しくはこの止着ボルト９のボルト頭部11より径小な抜止孔部14からナット12若しくはボルト頭部11が挿脱できないために挟持半体２が開き止めされて配管抱持部材４の挟持半体２が閉塞保持されると共に、取付部材８に配管抱持部材４が吊り下げ取付されることになり、この取付部材８上部のボルト螺着部７を吊りボルト６に螺着することで、配管１が吊り下げ支持される。
【００２４】
また、この際、重合部５に突設した下動阻止突起17が、ボルト挿通孔13の抜止孔部14と挿脱孔部15との境目付近に設けた突起挿通孔部18から取付部３の外方へ貫通突出し、この突出する下動阻止突起17に、前記吊り下げ状態とした際に前記止着ボルト９に螺着した前記ナット12若しくは前記ボルト頭部11が係止して止着ボルト９のボルト挿通孔13下部の前記挿脱孔部15への移動が阻止されることになる。
【００２５】
従って、この配管抱持部材４の閉塞保持状態では、止着ボルト９が何らかの要因によって挿脱孔部15に移動してしまうようなことは決してなく、この挿脱孔部15からナット12若しくはボルト頭部11が挿脱して止着ボルト９が抜け外れること（配管１が配管抱持部材４から脱落すること）が確実に防止されることになる。
【００２６】
また、前記ボルト挿通孔13と前記貫通ボルト孔16とに挿通した前記止着ボルト９を前記抜止孔部14に位置させて前記吊り下げ状態とした際に、前記突起挿通孔部18が前記下動阻止突起17に掛止られることで取付部３が重合部５に対して位置決められ、この位置決め（掛止）によって前記止着ボルト９のボルト杆部10が前記抜止孔部14に接触しない離間状態で抜止孔部14に挿通することになる。
【００２７】
従って、前記吊り下げ状態としても、止着ボルト９のボルト杆部10が抜止孔部14に接触しないため、前記特許文献１，２のように止着ボルト９の回動抵抗を生じず、止着ボルト９の回動操作（配管抱持部材４を閉塞保持するためにナット12を締付けする操作や配管抱持部材４を開放するためにナット12を緩める操作）が容易に行われ、作業性に優れる。
【００２８】
配管１を抱持している本金具を取り外す場合は、先ず止着ボルト９のボルト杆部10に締め付け螺着しているナット12を緩め回動し、止着ボルト９のボルト先端部側へナット12を移動させることで、止着ボルト９に螺着したナット12若しくは止着ボルト９のボルト頭部11の前記下動阻止突起17への係止状態を解除できるようにする。
【００２９】
尚、ナット12を緩めた状態では、図６に示すように止着ボルト９に対しては本金具の自重や抱持している配管１の荷重が加わっていて、止着ボルト９にナット12を螺着したままとなっているから、止着ボルト９に螺着したナット12やボルト頭部11が下動阻止突起17に係止していなくとも、止着ボルト９が抜止孔部14から抜け外れたり、または、傾いて止着ボルト９に螺着したナット12やボルト頭部11がボルト挿通孔13の径大な挿脱孔部15から容易に抜け外れてしまうことはない。
【００３０】
例えば図７，図８に示すように、この状態で配管抱持部材４を手で支えるなどして本金具や配管１の荷重を弱め、止着ボルト９の一端側を下方に傾けるなどしてボルト挿通孔13から抜き外したいナット12やボルト頭部11をボルト挿通孔13の径小な抜止孔部14から径大な挿脱孔部15へ移動させると、ナット12若しくはボルト頭部11より径大に形成した挿脱孔部15を介してナット12若しくはボルト頭部11をボルト挿通孔13から抜き外すことが可能となるので、このボルト挿通孔13を設けた一方の挟持半体２を下方へ回動させナット12を螺着したままの止着ボルト９から抜き外して配管抱持部材４を開き、配管１から本金具を取り外すことができる。
【実施例】
【００３１】
本発明の具体的な実施例について図面に基づいて説明する。
【００３２】
本実施例は、配管１を抱持支承するＣ状の金属製帯板材の上部に平板状の取付部３を一体的に連設した挟持半体２の下部同士を枢着して、互いに下方へ開閉回動自在な配管抱持部材４を構成し、この左右一対の挟持半体２から成る配管抱持部材４の前記対向する取付部３間に、上部に吊りボルト螺着部７を設けた取付部材８の下部を重合連結する構成としている。
【００３３】
また、取付部材８は、金属製帯板材を略逆Ｕ字状に折曲形成して上部の折り返し部に前記吊りボルト螺着部７を設け、この取付部材８下部の対向板部を重合部５として前記取付部３間に垂下配設する構成としている。
【００３４】
本実施例では、前記配管抱持部材４の対向する取付部３に夫々ボルト挿通孔13を貫通形成し、この取付部３間に配する前記取付部材８の重合部５にも夫々横方向に貫通ボルト孔16を形成し、各取付部３と各重合部５とを重合すると共に各ボルト挿通孔13と各貫通ボルト孔16とを連通させた上、この連通孔13・16に止着ボルト９を挿通してナット12を螺着することで、この止着ボルト９を介して配管抱持部材４と取付部材８とを連結した構成としている。
【００３５】
また、この各ボルト挿通孔13と各貫通ボルト孔16とは、止着ボルト９のボルト杆部10の径より径大に形成してこのボルト杆部10に対して遊びを生じる所謂バカ穴に構成し、この各ボルト挿通孔13と各貫通ボルト孔16に対して止着ボルト９が傾動（移動）できるように構成している。
【００３６】
また、本実施例では、各ボルト挿通孔13のうちの一方（図面ではナット12を螺着した止着ボルト９のボルト先端部が位置する側（図６〜図８において左側））を、次のように形成している。
【００３７】
上下方向に長さを有する長孔形状であって、前記止着ボルト９のボルト杆部10より径大であってこの止着ボルト９に螺着するナット12より径小な抜止孔部14を上部に、前記止着ボルト９に螺着するナット12より径大な挿脱孔部15を下部にして、相対的に前記止着ボルト９がこの挿脱孔部15から抜止孔部14へ移動自在となり、逆に抜止孔部14から挿脱孔部15へも移動自在となるように連通状態に構成している。
【００３８】
更に詳しくは、止着ボルト９のボルト杆部10より径大であってこの止着ボルト９に螺着するナット12より径小な径小丸穴14と、止着ボルト９に螺着するナット12若しくはボルト頭部11より径大な径大丸穴15とを、前記径小丸穴14が上に前記径大丸穴15が下になるようにして上下方向に連設状態に設け、上部の径小丸穴14を前記抜止孔部14とし、下部の径大丸穴15を挿脱孔部15としている。尚、このボルト挿通孔13の形状は、本実施例に限らず適宜設計変更可能である。
【００３９】
また、各ボルト挿通孔13の他方は、止着ボルト９のボルト頭部11やこの止着ボルト９に螺着するナット12が通ることができない孔径寸法を有するものとし、止着ボルト９にナット12が螺着されている以上は、この他方のボルト挿通孔13から止着ボルト９が抜け落ちることのない構成としている。
【００４０】
従って、前記止着ボルト９にナット12を螺着した状態であっても、前記ボルト挿通孔13の挿脱孔部15を介して挟持半体２を回動操作することでボルト挿通孔13にナット12と共に止着ボルト９を挿通でき、この止着ボルト９をボルト挿通孔13のこの挿脱孔部15から上方の抜止孔部14へ相対的に移動させることでナット12の内側（ボルト頭部11側）面が抜止孔部14周囲の取付部３に当接係止して、ボルト挿通孔13（抜止孔部14）より止着ボルト９が抜け止め状態となるように構成し、この抜止孔部14に止着ボルト９のボルト杆部10が位置する状態でナット12を締付螺着することで挟持半体２を閉塞保持する構成としている。
【００４１】
また、前記止着ボルト９のボルト杆部10の先端部側に螺着した前記ナット12を緩め回動してこの先端方向へ移動させた状態でこの止着ボルト９の先端部側を下方へ傾動し得るように止着ボルト９に対する前記各ボルト挿通孔13と貫通ボルト孔16の形状を前述のようにやや大きめ（径大）に設定し、この止着ボルト９を下方へ傾動させることで止着ボルト９にナット12を螺着したまま前記ボルト挿通孔13の径大な挿脱孔部15より止着ボルト９を係脱自在に設けて、止着ボルト９にナット12を螺着したままで前記一方の挟持半体２を開閉回動し得るように構成している。
【００４２】
従って、配管１を抱持している本金具を取り外す場合を例にとって説明すれば、先ず止着ボルト９のボルト杆部10に締め付け螺着しているナット12を緩め回動し、止着ボルト９の先端部側へナット12を移動させる。
【００４３】
尚、このナット12を緩めた状態では、図２に示すように止着ボルト９に対しては本金具の自重や抱持している配管１の荷重が加わっていて、止着ボルト９にナット12を螺着したままとなっているから、止着ボルト９が抜け外れたり、傾いて止着ボルト９に螺着したナット12がボルト挿通孔13の径大な挿脱孔部15から容易に抜け外れてしまうことはない。
【００４４】
例えば、図３に示すようにこの状態で手で支えるなどして本金具や配管１の荷重を弱め、止着ボルト９を下方に傾けるなどしてボルト挿通孔13から抜き外したいナット12をボルト挿通孔13の径小な抜止孔部14から径大な挿脱孔部15へ移動させる。そしてこのボルト挿通孔13を設けた一方の挟持半体２を下方へ回動させ、ナット12を螺着したままの止着ボルト９から抜き外して本金具を開き配管１から本金具を取り外す。
【００４５】
従って、本実施例は、止着ボルト９にナット12を螺着したままで挟持半体２を開閉させて本金具の取り付け取り外し作業ができるから、止着ボルト９が抜けて金具がバラけてしまうこともなく、また、このように止着ボルト９にナット12を螺着したまま開閉できるから、いちいちナット12を螺着したり、取り外したりする手間もなく、ナット12を落としたり、無くしたりしないようにナット12を管理する煩わしさもない構成としている。
【００４６】
尚、本実施例では、止着ボルト９にナット12を螺着させたまま開閉させるため、止着ボルト９からナット12を取り外す必要はないことから、ナット12を緩め回動して止着ボルト９から抜落しないように、例えば止着ボルト９のボルト杆部10先端部のネジ溝をつぶすなどして抜脱不能に構成しても良い。このように構成することにより、ナット12の緩めすぎに気をとられることもなく、また、必ずナット12が止着ボルト９から抜け外れて落下することはないから、一層優れた配管支持金具となる。また、本実施例では、ナット12をボルト挿通孔13の挿脱孔部15から抜き外すようにした場合を示したが、ボルト頭部11をボルト挿通孔13の挿脱孔部15から抜き外すようにしても良い。
【００４７】
本実施例は、前記取付部材８の前記重合部５に、外方へ向けて下動阻止突起17を突設し、この下動阻止突起17を、前記重合部５を前記取付部３に重合した際に前記取付部３の外方へ貫通突出させる突起挿通孔部18を前記取付部３に設けると共に、この突起挿通孔部18は、前記ボルト挿通孔13と前記貫通ボルト孔16とに挿通した前記止着ボルト９を前記抜止孔部14に位置させて前記吊り下げ状態とした際に前記下動阻止突起17に掛止られることで前記止着ボルト９のボルト杆部10が前記抜止孔部14に接触しない離間状態で抜止孔部14に挿通する構成としている。
【００４８】
具体的には、前記各重合部５の一方（図面ではナット12を螺着した止着ボルト９のボルト先端部が位置する側（図６〜図８において左側））に、下動阻止突起17を各重合部５の対向外側に向けて突設して、この外側に突設する下動阻止突起17が止着ボルト９に螺着した前記ナット12若しくは止着ボルト９のボルト頭部11に係止するように構成している。
【００４９】
また、この下動阻止突起17は、前記貫通ボルト孔16を設けた前記重合部５から切り起こした切り起こし片17で構成すると共に、この重合部５の貫通ボルト孔16の二箇所に設け、この二箇所の下動阻止突起17に、前記止着ボルト９に螺着した前記ナット12若しくはこの止着ボルト９のボルト頭部11が係止して、このナット12若しくはボルト頭部11に回り止め作用を付与する構成としている。
【００５０】
更に詳しくは、前記重合部５に前記貫通ボルト孔16をプレス穴抜き形成するが、この際に前記切り起こし片17の内方に向かって二箇所突出する形状に貫通ボルト孔16を穴抜きし（突片を有する形状に貫通ボルト孔16を貫通形成し）、この穴抜きによって形成された二箇所の切り起こし片17を垂直にした重合部５に対して水平外方に突出するようにプレス折曲等により９０度曲げ起こしたこの各切り起こし片17を下動阻止突起17としている。
【００５１】
また、この二箇所の下動阻止突起17の間隔を、前記ナット12若しくはボルト頭部11の径寸法より小間隔に設定して、この二箇所の下動阻止突起17にナット12若しくはボルト頭部11の二面が係止して回り止め作用が付与される構成とすると共に、この二箇所の下動阻止突起17が前記抜止孔部14に挿通した前記止着ボルト９に螺着した前記ナット12の図面下側に位置する部位の左右二箇所に当接係止することで、止着ボルト９が下方の挿脱孔部15側に移動できなくなって抜止孔部14にとどまることになる構成としている。
【００５２】
更に具体的には、ナット12の六面ある外周面のうちの一面を下方を向いた水平状態とした際に、その両隣に存する外周面）に一つずつ下動阻止突起17が当接係止するように、この下動阻止突起17の形成位置を設定構成し、このナット12の二面に下動阻止突起17が当接係止することでナット12に回り止め作用を付与して、この止着ボルト９とナット12の締付け及び緩め作業が非常に容易に行われる構成としている。
【００５３】
また、この下動阻止突起17は、その突出長を、ナット12を多少緩めた程度ではナット12への係止状態が解除されない長さに設定し、これにより万が一ナット12が多少緩んだとしても、止着ボルト９が抜止孔部14にとどまって止着ボルト９が抜け外れることのない構成としている。
【００５４】
更に具体的には、下動阻止突起17は、前記取付部３の板厚の２倍以上の突出長を有する構成とし、これにより取付部３を重合部５に重合して下動阻止突起17を突起挿通孔部18に挿通した際に、取付部３の外方へ下動阻止突起17が大きく突出する構成としている。
【００５５】
また、前記突起挿通孔部18は、前記ボルト挿通孔13の前記抜止孔部14と前記挿脱孔部15との境目付近に、このボルト挿通孔13と連設状態に設けている。
【００５６】
具体的には、ボルト挿通孔13は、前記取付部３にプレス穴抜き形成するが、この際に前記ボルト挿通孔13の前記抜止孔部14と前記挿脱孔部15との境目付近の両側位置に角形の突起挿通孔部18が形成される孔形状に穴抜きし、このボルト挿通孔13と一体化して抜かれた二箇所の角孔部分を前記突起挿通孔部18としている。
【００５７】
また、この突起挿通孔部18は、上部の孔縁が水平縁19となる角孔に形成してこの水平縁19を掛止縁19とし、この掛止縁19を、突起挿通孔部18に挿通した下動阻止突起17の上面部に掛止し得るようにしている。そして、本実施例では、前記ボルト挿通孔13と前記貫通ボルト孔16とに挿通した前記止着ボルト９を前記抜止孔部14に位置させて取付部材８に対し配管抱持部材４を吊り下げ状態とした際に、前記突起挿通孔部18（の掛止縁19）が前記下動阻止突起17に掛止られることで重合部５に対し取付部３が位置決められると共に、この際、前記止着ボルト９のボルト杆部10が前記抜止孔部14に接触しない離間状態で抜止孔部14に挿通するように、下動阻止突起17，突起挿通孔部18の形成位置や形状を設定構成している。
【００５８】
従って、本実施例によれば、止着ボルト９をボルト挿通孔13の抜止孔部14に移動し、この止着ボルト９に螺着したナット12を締付して配管抱持部材４の挟持半体２を締付閉塞保持すると、ナット12の二箇所に下動阻止突起17が係止して止着ボルト９がボルト挿通孔13下部の挿脱孔部15に移動することが確実に阻止される構成としている。よって、この配管抱持部材４の閉塞保持状態では、止着ボルト９が何らかの要因によって挿脱孔部15に移動してしまうようなことは決してなく、この挿脱孔部15からナット12若しくはボルト頭部11が挿脱して止着ボルト９が抜け外れること（配管１が配管抱持部材４から脱落すること）が確実に防止されることになる（図１，図３参照。）。
【００５９】
また、止着ボルト９に螺着したナット12を緩めてナット12とボルト頭部11間の距離を拡大すれば（図６（ａ）参照。）、ナット12を下動阻止突起17の突出先端部より外方へ位置させることでナット12の下動阻止突起17への係止状態を解除し得るように構成している（図６（ｂ）参照。）。
【００６０】
また、本実施例では、図９，図１０に示すように、配管抱持部材４で配管１を抱持する際に配管１上に取付部材８を寝かせておき、図１１に示すように上方に位置する下動阻止突起17をいずれか一方の突起挿通孔部18に配してこの突起挿通孔部18に配した下動阻止突起17を支点にして取付部材８を起立状態となるまで起動回動させると、下方に位置する下動阻止突起17が前記挿脱孔部15の孔内縁に沿って他方の突起挿通孔部18へと簡単に案内される丸穴形状に、前記挿脱孔部15を設定構成している。
【００６１】
尚、本発明は、本実施例に限られるものではなく、各構成要件の具体的構成は適宜設計し得るものである。
【符号の説明】
【００６２】
１  配管
２  挟持半体
３  取付部
４  配管抱持部材
５  重合部
６  吊りボルト
７  ボルト螺着部
８  取付部材
９  止着ボルト
10  ボルト杆部
11  ボルト頭部
12  ナット
13  ボルト挿通孔
14  抜止孔部
15  挿脱孔部
16  貫通ボルト孔
17  下動阻止突起
18  突起挿通孔部
19  掛止縁
【図１】
2014214868.tif 000003
【図２】
2014214868.tif 000004
【図３】
2014214868.tif 000005
【図４】
2014214868.tif 000006
【図５】
2014214868.tif 000007
【図６】
2014214868.tif 000008
【図７】
2014214868.tif 000009
【図８】
2014214868.tif 000010
【図９】
2014214868.tif 000011
【図１０】
2014214868.tif 000012
【図１１】
2014214868.tif 000013